(57)【要約】【課題】吸入した空気によるファンの汚染を防ぐことで、ファンのメンテナンスにかかる手間を低減することができ、しかも空気清浄化の過程においてエアシャワー室への汚染空気が漏洩しないようにした。【解決手段】エアシャワー装置は、エアシャワー室２と、エアシャワー室２に隣接する空気清浄化ユニット３とを備えている。空気清浄化ユニット３は、ファン３１と、このファン３１の一次側に設けられていて吸込口３２に配置されたプレフィルタ３４と、ファン３１とプレフィルタ３４との間に設けられた高性能フィルタ３５とを備えている。ファン３１によってエアシャワー室２内の空気をファン３１の一次側の吸込口３２から吸入し、その空気をプレフィルタ３４と高性能フィルタ３５とを通過させて清浄化させ、その清浄化した空気をファン３１の二次側の噴出し口３３からエアシャワー室２へ噴出させるようにした。【選択図】図２
2009047323.tif 000002
【特許請求の範囲】
【請求項１】
エアシャワー室と該エアシャワー室に隣接する空気清浄化ユニットとを備え、その空気清浄化ユニット内に備えたファンによって前記エアシャワー室内の空気を前記ファンの一次側の吸込口から吸入して清浄化させ、その清浄化した空気を前記ファンの二次側の噴出し口から前記エアシャワー室へ噴出させることで、前記エアシャワー室内で人体や衣服等に付着した有害物質を除去するエアシャワー装置であって、
前記吸込口に配置されたプレフィルタと、
前記ファンと前記プレフィルタとの間に配置された高性能フィルタと、
を備えたことを特徴とするエアシャワー装置。
【発明の詳細な説明】
【技術分野】
【０００１】
本発明は、人体や衣服等に付着したアスベスト等の有害物質を取り除くためのエアシャワー装置に関する。
【背景技術】
【０００２】
従来、例えば飛散性の高いアスベスト除去工事などの有害汚染物質の除去工事では、除去作業エリアをプラスチック製の隔離シート等を用いてその他の空間から隔離する処置を行ってから作業が行われている。そして、作業エリア内で作業を行い、そこから退出する際には、エアシャワー装置が設置されている清浄室を通り、エアシャワー装置によって身体に付着した有害物質を吹き飛ばして取り除いている。
【０００３】
そして、従来のエアシャワー装置は、クリーンルーム等の入口に設けられるエアシャワー装置と同様の形態のものが使用され、一般的にはファンの一次側にプレフィルタ（一次フィルタ）を設けるとともに、二次側に正圧のチャンバーを設けて、そのチャンバーにＨＥＰＡフィルタなどの高性能フィルタ（二次フィルタ）を配置させ、その二次フィルタを通過させた空気をエアシャワー室に噴出させるようになっている（例えば、特許文献１、２、３参照）。
【特許文献１】特開２００２−１４７８１０号公報
【特許文献２】特開２００４−１６２９２３号公報
【特許文献３】特開平７−２９３９５６号公報
【発明の開示】
【発明が解決しようとする課題】
【０００４】
しかしながら、特許文献１、２のエアシャワー装置では、プレフィルタ（一次フィルタ）だけを通過した空気がファン本体内を通過することになることから、一次フィルタで取り除くことができない高濃度のアスベスト粉塵などの有害物質によってファン本体が汚染されるといった欠点がある。そのため、エアシャワー装置をメンテナンスする際には、ファンの羽根、駆動軸、モータ等のすべての部品を清浄化する必要があり、メンテナンス作業の手間と時間がかかるうえ、その作業によって二次汚染が生じるといった問題がある。
また、ファンから二次側の高性能フィルタに至るまでは高濃度の汚染空気が高い正圧状態にあり、エアシャワー装置の函体接合部や損傷部などの隙間があると、一般環境へ汚染空気が漏洩するといった問題があった。
【０００５】
本発明は、上述する問題点に鑑みてなされたもので、吸入した空気によるファンの汚染を防ぐことで、ファンのメンテナンスにかかる手間を低減することができるエアシャワー装置を提供することを目的とする。
また、本発明の他の目的は、空気清浄化の過程においてエアシャワー室への汚染空気が漏洩しないようにしたエアシャワー装置を提供することである。
【課題を解決するための手段】
【０００６】
上記目的を達成するため、本発明に係るエアシャワー装置では、エアシャワー室とエアシャワー室に隣接する空気清浄化ユニットとを備え、その空気清浄化ユニット内に備えたファンによってエアシャワー室内の空気をファンの一次側の吸込口から吸入して清浄化させ、その清浄化した空気をファンの二次側の噴出し口からエアシャワー室へ噴出させることで、エアシャワー室内で人体や衣服等に付着した有害物質を除去するエアシャワー装置であって、吸込口に配置されたプレフィルタと、ファンとプレフィルタとの間に配置された高性能フィルタとを備えたことを特徴としている。
【０００７】
本発明では、ファンによってエアシャワー室より吸入した汚染空気は、ファンの一次側に配置されたプレフィルタ、高性能フィルタの順に通過し、さらにその空気はファン内を通過し、噴出し口からエアシャワー室へ噴出される。そして、噴出された空気によって、エアシャワー室内の作業員の衣服等に付着したアスベスト等の有害物質が吹き飛ばされて除去されることになる。さらに、その除去によって生じた汚染空気は、再び空気清浄化ユニット内を循環し、プレフィルタ、高性能フィルタを通過することになる。このように、ファンを通過した空気はプレフィルタ、高性能フィルタによって清浄化されており、従来のようにファンの二次側に高性能フィルタが配置されていてプレフィルタのみを通過した十分に清浄化されていない空気をファン内へ通過させる構造ではないので、ファンの汚染を防ぐことができる。
また、エアシャワー室より吸入した汚染空気はファンの一次側の負圧領域内で清浄化されることになり、この負圧領域よりエアシャワー室へ汚染空気が漏洩されることはない。つまり、正圧となるファンの二次側のチャンバー内に汚染空気が入り込まない構造であることから、例えば正圧によって二次側のチャンバーを覆う函体の隙間からエアシャワー室に空気が漏洩する場合であっても、その漏洩した空気は清浄化されたものであり、汚染空気がエアシャワー室に漏洩しないようになっている。
【発明の効果】
【０００８】
本発明のエアシャワー装置によれば、ファンを通過した空気は、プレフィルタ、高性能フィルタによって清浄化されていてファンの汚染を防ぐことができることから、ファンのメンテナンスの頻度を少なくしたり、簡略化することが可能となり、そのメンテナンスにかかる手間を低減させることができる。しかも、有害物質によって汚染されたファンをメンテナンスする必要がないことから、メンテナンス作業による二次汚染を抑制することができる。
また、正圧となるファンの二次側のチャンバー内に汚染空気が入り込まない構造であることから、汚染空気を吸入して各フィルタを通過させて噴出し口より噴出させるまでの空気清浄化の過程において、汚染空気がエアシャワー室に漏洩することがないので、エアシャワー効果の向上を図ることができる。
【発明を実施するための最良の形態】
【０００９】
以下、本発明の実施の形態によるエアシャワー装置について、図１乃至図３に基づいて説明する。
図１は本発明の実施の形態によるエアシャワー装置の側面図、図２は空気清浄化ユニットの構成を示す図、図３は図１のエアシャワー装置の空気の流れを説明するためのフロー図である。
【００１０】
図１に示すように、本実施の形態によるエアシャワー装置１は、例えばアスベスト等の有害物質を取り扱った作業員Ｍの身体に付着した有害物質を取り除くためのものである。すなわち、エアシャワー装置１は、エアシャワー室２と、エアシャワー室２に隣接配置された空気清浄化ユニット３とからなる。
エアシャワー室２は、図中二点鎖線で示す出入り用の開閉扉２１を備え、作業員Ｍが入室可能な適宜な広さを有する周知の構成をなしている。
【００１１】
図２に示すように、空気清浄化ユニット３は、内部が密閉された箱形状をなし、空気清浄化ユニット３内で空気を循環させるためのファン３１を備え、そのファン３１によってファン３１の一次側（上流側）の吸込口３２からエアシャワー室２内の空気を吸引し、ファン３１を通過させた空気を複数の噴出し口３３、３３、…からエアシャワー室２へ噴出させる構成になっている。なお、本実施の形態では、吸込口３２が空気清浄化ユニット３の下方に位置し、空気清浄化ユニット３の上下方向の中間部に噴出し口３３が位置する構成となっている。
【００１２】
空気清浄化ユニット３は、ファン３１と、このファン３１の一次側に設けられていて吸込口３２に配置されたプレフィルタ３４と、ファン３１とプレフィルタ３４との間に設けられた高性能フィルタ３５とを備えている。そして、ファン３１を挟んで一次側と二次側（ファン３１の下流側）とを隔離する区画壁３９が設けられ、その一次側に負圧領域３６が設けられ、その二次側、つまりファン３１の出口３１ａと噴出し口３３との間には正圧チャンバー３７が設けられている。また、空気清浄化ユニット３におけるエアシャワー室２側の適宜箇所には、空気清浄化ユニット３を運転するための操作盤３８が設けられている。
【００１３】
ファン３１は、適宜な容量を有し、モータ３１ｂを備えた周知の送風機が用いられている。
高性能フィルタ３５は、プレフィルタ３４の後方（プレフィルタ３４に対してファン３１側の位置）に略層状に配置されている。そして、高性能フィルタ３５としては、粗い塵埃を取り除くプレフィルタ３４に対して微小な塵埃を取り除くＨＥＰＡフィルタ等を使用することができる。
【００１４】
次に、このような構成からなるエアシャワー装置による空気の流れと、エアシャワー装置の作用について図面に基づいて説明する。
図２及び図３に示すように、アスベスト等の有害物質を衣服等に付着させた作業員Ｍがエアシャワー室２（図１参照）に入室したときに、空気清浄化ユニット３を稼動させる。エアシャワー室２内の汚染空気は、ファン３１によって空気清浄化ユニット３の吸込口３２より吸入され、ファン３１の一次側に配置されたプレフィルタ３４、高性能フィルタ３５をそれぞれの順に通過する。そして、高性能フィルタ３５を通過して清浄化された空気は、ファン３１内を通過して正圧チャンバー３７内に移送され、噴出し口３３からエアシャワー室２へ噴出される。その噴出した空気によって、エアシャワー室２内の作業員Ｍの身体に付着したアスベスト等の有害物質が吹き飛ばされて除去される。すなわち、人体洗浄が行われることになる。
【００１５】
そして、エアシャワー室２において作業員Mに付着した有害物質を除去することによって生じた汚染空気は、再び空気清浄化ユニット３内を循環し、プレフィルタ３４、高性能フィルタ３５を通過することになる。このように、ファン３１を通過した空気はプレフィルタ３４、高性能フィルタ３５によって清浄化されており、従来のようにファンの二次側に高性能フィルタが配置されていてプレフィルタのみを通過した十分に清浄化されていない空気をファン内で通過させる構造ではないので、ファン３１の汚染を防ぐことができる。
【００１６】
また、エアシャワー室２より吸入した汚染空気はファンの一次側の負圧領域３６内で清浄化されることになり、この負圧領域３６よりエアシャワー室２へ汚染空気が漏洩されることはない。つまり、正圧となるファンの二次側の正圧チャンバー３７内に汚染空気が入り込まない構造であることから、例えば正圧チャンバー３７を覆う函体の隙間からエアシャワー室２に空気が漏洩する場合であっても、その漏洩した空気は清浄化されたものであり、汚染空気がエアシャワー室２に漏洩しないようになっている。
【００１７】
なお、プレフィルタ３４及び高性能フィルタ３５は、ファン３１の一次側に配置されていて空気清浄化ユニット３の側面（エアシャワー室２側）から交換可能な構成であることから、空気清浄化ユニット３の内部に作業員が入らなくてすみ、フィルタ交換作業を容易に行うことができるようになっている。
【００１８】
上述のように本実施の形態によるエアシャワー装置では、ファン３１を通過した空気は、プレフィルタ３４、高性能フィルタ３５によって清浄化されていてファン３１の汚染を防ぐことができることから、ファン３１のメンテナンスの頻度を少なくしたり、簡略化することが可能となり、そのメンテナンスにかかる手間を低減させることができる。しかも、有害物質によって汚染されたファン３１をメンテナンスする必要がないことから、メンテナンス作業による二次汚染を抑制することができる。
また、正圧となるファン３１の二次側の正圧チャンバー３７内に汚染空気が入り込まない構造であることから、汚染空気を吸入して各フィルタ３４、３５を通過させて噴出し口より噴出させるまでの空気清浄化の過程において、汚染空気がエアシャワー室２に漏洩することがないので、エアシャワー効果の向上を図ることができる。
【００１９】
以上、本発明によるエアシャワー装置の実施の形態について説明したが、本発明は上記の実施の形態に限定されるものではなく、その趣旨を逸脱しない範囲で適宜変更可能である。
例えば、エアシャワー装置１の空気清浄化ユニット３の形状、数量、ファン３１の容量等は、使用される目的、使用人数などの条件に対応して任意に設定することができる。
また、本実施の形態では作業員Mの衣服等に付着した有害物質をアスベスト等としているが、有害物質として、例えば粉体状の化学物質なども除去の適用対象とされる。そして、有害物質が付着している対象も人体や衣服に限定されることはなく、エアシャワー室２に入る大きさであればよく、帽子、手袋、作業に使用した冶具などであっても勿論かまわない。
さらに、本実施の形態ではエアシャワー室２の片側のみに空気清浄化ユニット３を設置しているが、このような形態に限定されることはなく、例えばエアシャワー室２を挟んで両側に対向するようにして空気清浄化ユニット３、３を配置させてもかまわない。
【図面の簡単な説明】
【００２０】
【図１】本発明の実施の形態によるエアシャワー装置の側面図である。
【図２】空気清浄化ユニットの構成を示す図である。
【図３】図１のエアシャワー装置の空気の流れを説明するためのフロー図である。
【符号の説明】
【００２１】
１  エアシャワー装置
２  エアシャワー室
３  空気清浄化ユニット
３１  ファン
３２  吸込口
３３  噴出し口
３４  プレフィルタ
３５  高性能フィルタ
３６  負圧領域
３７  正圧チャンバー
【図１】
2009047323.tif 000003
【図２】
2009047323.tif 000004
【図３】
2009047323.tif 000005